(57)【要約】【課題】  袋体の中に塊状の収納物を入れて持った時に、周縁部の左右一対の内側面が前後方向に撓んでも、周縁部に配設される磁石を確実に吸着させて、確実に上方開口部を閉じることができる袋物を提供することを目的とする。【解決手段】  上方開口部３の周縁部４に沿って形成した横長状収納袋部10内に、周縁部４の対向する左右内側面４ａ，４ａを相互に吸着させる磁石Ｍ，Ｍを、移動可能に収納した。そして、夫々の両端部６ａ，６ａが所定間隔をもって周縁部４に付設される左右一対の把持紐部材６，６を、有する。かつ、各把持紐部材６の両端部６ａ，６ａの間に、横長状収納袋部10が、配設される。さらに、収納袋部10の内部の上下幅寸法は、磁石Ｍの対角線の寸法よりも大きい。【選択図】  図２
2006123987.tif 000002
【特許請求の範囲】
【請求項１】
上方開口部（３）の周縁部（４）に沿って形成した横長状収納袋部（10）内に、上記周縁部（４）の対向する左右内側面（４ａ)(４ａ）を相互に吸着させる磁石（Ｍ)(Ｍ）を、移動可能に収納したことを特徴とする袋物。
【請求項２】
夫々の両端部（６ａ)(６ａ）が所定間隔をもって上記周縁部（４）に付設される左右一対の把持紐部材（６)(６）を、有し、
かつ、上記各把持紐部材（６）の上記両端部（６ａ)(６ａ）の間に、上記横長状収納袋部（10）が、配設された請求項１記載の袋物。
【請求項３】
上方開口部（３）の周縁部（４）の一部（14）に沿って横長状収納袋部（10）を形成し、かつ、可撓紐状体（19）を介して、図形や文字等のデザイン体（20）を袋体（７）又は把持紐部材（６）から吊下げ状に付設し、
相互に吸着する磁石（Ｍ)(Ｍ0 ）の一方（Ｍ）を上記収納袋部（10）内に移動可能に収納すると共に、磁石（Ｍ)(Ｍ0 ）の他方（Ｍ0 ）を上記デザイン体（20）に付設したことを特徴とする袋物。
【請求項４】
移動可能に収納された上記磁石（Ｍ）は、４角部が丸み状に形成された略矩形板形状である請求項１，２又は３記載の袋物。
【請求項５】
移動可能に収納された上記磁石（Ｍ）の長辺（ａ）・短辺（ｂ）・対角線（ｃ）と、上記収納袋部（10）の内部の上下幅寸法（Ｈ）との間に、1.1 ×ａ≦Ｈ≦1.5 ×ａ、1.5 ×ｂ≦Ｈ≦2.5 ×ｂ、及び、ｃ＜Ｈの関係を有する請求項４記載の袋物。
【請求項６】
移動可能に収納された上記磁石（Ｍ）の外表面（11）には、低摩擦コーティング材（12）が塗布された請求項１，２，３，４又は５記載の袋物。
【発明の詳細な説明】
【技術分野】
【０００１】
本発明は、買い物袋等として使用する袋物に関するものである。
【背景技術】
【０００２】
従来の袋物として、袋体の上方開口部の周縁部に沿って、一対の横長帯板状磁性体（磁石）が、左右対向状に付設され、周縁部の対向する内側面を相互に吸着させるものが知られている（例えば、特許文献１参照）。
【特許文献１】特願２０００−２５５５９４号
【発明の開示】
【発明が解決しようとする課題】
【０００３】
この従来の袋物は、袋体に衣服等を収納した後で、一対の磁石を相互に吸着させることで周縁部を閉じ、タンスやクローゼット内に収納するものである。
この従来の袋物は、横長帯板状の２つの磁石が横方向に長いので、小さく丸めたり折り畳みにくく、しかも、重くなるので、例えば、買い物袋等としてバッグやポケットに入れて持ち運びをするのには適さない。
そこで、袋体の上方開口部の周縁部に付設する磁石を、小さく（例えば、横幅を１乃至２cm程度）して、周縁部の対向する内側面に固着することも考えられる。しかし、実際に袋体に収納物を入れると、収納物は、内部で前後どちらかに片寄り易いので、対向する（小さな）磁石が前後方向に相互にずれてしまい、各磁石は相互に吸着できない。
【０００４】
そこで、本発明は、袋体の上方開口部の周縁部に、対向する左右内側面を吸着させる磁石を、有すると共に、袋体に収納物を入れることで左右内側面が前後方向に相互にずれても、磁石同士を確実に吸着させることができ、しかも、小さく折り畳むことができる袋物を提供することを目的とする。
【課題を解決するための手段】
【０００５】
上記の目的を達成するために、本発明に係る袋物は、上方開口部の周縁部に沿って形成した横長状収納袋部内に、上記周縁部の対向する左右内側面を相互に吸着させる磁石を、移動可能に収納したものである。
【０００６】
また、夫々の両端部が所定間隔をもって上記周縁部に付設される左右一対の把持紐部材を、有し、かつ、上記各把持紐部材の上記両端部の間に、上記横長状収納袋部が、配設されている。
【０００７】
また、袋物は、上方開口部の周縁部の一部に沿って横長状収納袋部を形成し、かつ、可撓紐状体を介して、図形や文字等のデザイン体を袋体又は把持紐部材から吊下げ状に付設し、相互に吸着する磁石の一方を上記収納袋部内に移動可能に収納すると共に、磁石の他方を上記デザイン体に付設したものである。
【０００８】
また、移動可能に収納された上記磁石は、４角部が丸み状に形成された略矩形板形状である。
そして、移動可能に収納された上記磁石の長辺ａ・短辺ｂ・対角線ｃと、上記収納袋部の内部の上下幅寸法Ｈとの間に、1.1 ×ａ≦Ｈ≦1.5 ×ａ、1.5 ×ｂ≦Ｈ≦2.5 ×ｂ、及び、ｃ＜Ｈの関係を有する。
さらに、移動可能に収納された上記磁石の外表面には、低摩擦コーティング材が塗布されている。
【発明の効果】
【０００９】
本発明は、次のような著大な効果を奏する。
袋物は、上方開口部の周縁部に沿って左右一対に形成した横長状収納袋部内に、夫々、磁石を、移動可能に収納したものなので、袋体に収納物を入れることにより、上方開口部の周縁部の左右内側面が撓んで前後方向に相互にずれても、磁石は、磁力により、収納袋部内を移動して対向位置となる。
よって、周縁部の左右内側面を、確実に相互に吸着させることができ、どんな収納物を入れて運ぶ際でも、常時、上方開口部を確実に閉じることができる。
【００１０】
または、袋物を、上方開口部の周縁部の一部に沿って横長状収納袋部を形成し、かつ、可撓紐状体を介して、図形や文字等のデザイン体を把持紐部材から吊下げ状に付設し、相互に吸着する磁石の一方を収納袋部内に移動可能に収納すると共に、磁石の他方をデザイン体に付設したものとするので、袋体に収納物を入れた後で、デザイン体を、袋体の周縁部の他部（上記周縁部の一部と対向する側）の外側面に当接させるだけで、収納袋部内の磁石は、磁力により、収納袋部内を移動してデザイン体に付設された磁石と対向位置となり、容易に上方開口部を閉じることができる。
しかも、デザイン体の形状を様々に変えることで、見た目の楽しさ・美しさも、自由に設定することができる。
【００１１】
また、磁石は、４角部が丸み状に形成された略矩形板形状であるので、磁石が、収納袋部の内部に引っ掛かることがなく、しかも、外表面には、低摩擦コーティング材が塗布されているので、摩擦が低減し、移動が、一層スムースになる。
さらに、収納袋部の内部の上下幅寸法を、磁石の対角線寸法よりも超過に設定したので、磁石が、収納袋部の内部で回転しながら移動することも可能となり、Ｎ極とＳ極とが対向するように姿勢を変えつつ、左右内側面が確実に吸着されて、閉じられる。
しかも、磁石は、小さな大きさのもので済み、コストが少なく、袋物を小さく折り畳んで持ち運ぶことができる。
【発明を実施するための最良の形態】
【００１２】
以下、実施の形態を示す図面に基づき、本発明を詳説する。
図１，図２，図３及び図４は、本発明に係る袋物の実施の一形態を示し、この袋物は、上方開口部３の周縁部４に沿って形成した横長状収納袋部10内に、周縁部４の対向する左右内側面４ａ，４ａを相互に吸着させる磁石Ｍ，Ｍを、移動可能に収納したものである。  具体的には、この袋物は、上方開口部３を有する袋体７と、夫々の両端部６ａ，６ａが所定間隔をもって周縁部４に付設される左右一対の把持紐部材６，６と、を有する。
各把持紐部材６の両端部６ａ，６ａは、袋体７の周縁部４の内側面４ａに縫製される。  また、袋体７は、ナイロンの平織り（タフター）や合成繊維等の、低摩擦性と柔軟性を有する材質から成る。
【００１３】
そして、各把持紐部材６の両端部６ａ，６ａの間に、横長状収納袋部10が、配設されている。即ち、左右一対の第１・第２収納袋部１，２が、袋体７の周縁部４のうち、各把持紐部材６，６の付け根部５，５に於て、対向状に配設される。
各収納袋部10は、袋体７の周縁部４が内側に折り曲げられ、その折曲部の上下を沿うように縫製されて、形成される。かつ、各収納袋部10の横方向両端部は、袋体７の周縁部４に把持紐部材６の両端部６ａ，６ａを縫製する縫製糸９，９によって閉鎖されて、形成されるのが好ましい（図２（Ａ）参照）。
また、図示省略するが、袋物を、上方開口部３を有する袋体７と、夫々の両端部６ａ，６ａが所定間隔をもって周縁部４に配設される左右一対の把持紐部材６，６と、から一体状に成形してもよい。
【００１４】
また、第１・第２収納袋部１，２内に、第１・第２磁石Ｍ1 ，Ｍ2 が、配設される。
磁石Ｍ（第１・第２磁石Ｍ1 ，Ｍ2 ）は、４角部が丸み状に形成された略矩形板形状である。
そして、磁石Ｍの長辺ａ・短辺ｂ・対角線ｃと、収納袋部10の内部の上下幅寸法Ｈとの間に、1.1 ×ａ≦Ｈ≦1.5 ×ａ、1.5 ×ｂ≦Ｈ≦2.5 ×ｂ、及び、ｃ＜Ｈの関係を有するように、設定する。この設定により、磁石Ｍが横方向に移動する際に、収納袋部10の内部を、矢印17のように、回転移動も可能となり、第１・第２磁石Ｍ1 ，Ｍ2 の相互の吸着力が最大となる相対的位置に対向する。
例えば、磁石Ｍの長辺ａ・短辺ｂは、夫々、12mm乃至14mm，７mm乃至９mmに設定され、収納袋部10の内部の上下幅寸法Ｈは、20mm乃至25mmに設定される。
さらに、各収納袋部10の横幅寸法Ｗと、上下幅寸法Ｈとの間に、2.0 ×Ｈ≦Ｗ≦6.0 ×Ｈの関係を有するように設定され、横幅寸法Ｗを、例えば、９cm乃至11cmに設定するのが好ましい。
【００１５】
次に、図５，図６及び図７は、本発明に係る袋物の他の実施の形態を示し、この袋物は、上方開口部３を有する袋体７と、夫々の両端部６ａ，６ａが所定間隔をもって周縁部４に付設される左右一対の把持紐部材６，６と、を有する。
そして、上方開口部３の周縁部４の一部14（一の把持紐部材６の両端部６ａ，６ａが付設される近傍部位相互間の範囲）に沿って、横長状収納袋部10が形成されている。
そして、収納袋部10内に、磁石Ｍを、移動可能に収納する。
把持紐部材６，６の付設方法、袋体７の材質、磁石Ｍの形状及び大きさ、収納袋部10の形成方法及び内部の上下幅寸法Ｈは、図１〜図４で既述した袋物と同様である。
【００１６】
また、この袋物は、図形や文字等のデザイン体20が、可撓紐状体19を介して、袋体７又は把持紐部材６から吊下げ状に付設されている。
具体的には、可撓紐状体19は、その両端がデザイン体20に連結されて、接続されている。この可撓紐状体19を、袋体７の周縁部４の他部24（収納袋部10が形成される周縁部４の一部14と対向する側）に付設された他把持紐部材６に、吊下げる。
かつ、別の磁石Ｍ0 を、デザイン体20に付設する。この磁石Ｍ0 の付設方法として、デザイン体20の内部に磁石Ｍ0 を埋込んだ後に縫製して閉じたり、あるいは、デザイン体20に接着剤等で固着する等の方法がある。
デザイン体20に付設された磁石Ｍ0 と、袋体７の収納袋部10内の磁石Ｍは、相互に吸着し、袋体７の周縁部４の対向する内側面14ａ，24ａを、相互に吸着させる。
デザイン体20は、例えば、花や、動物の人形や、「Ｇ」のマーク等をデザインした模型や薄型おもちゃ・小型ぬいぐるみ等が好ましい。
【００１７】
図１〜図４の磁石Ｍ、及び図５〜図７の磁石Ｍは、その外表面11に、収納袋部10内を滑って移動し易くするための低摩擦コーティング材12が塗布される（図８参照）。
図９，図10は、図１，図２，図５の磁石Ｍと異なる形状の磁石Ｍを示し、図９の磁石Ｍは、楕円板形状に形成され、図10の磁石Ｍは、円板形状に形成される。
図９に示す楕円形状の磁石Ｍの長辺ａ・短辺ｂは、図２で既述した略矩形板形状の磁石Ｍのものと同じ長さに設定され、また、図10に示す円板形状の磁石Ｍの直径ｄは、上記長辺ａと同じ長さに設定されたり、あるいは、上記幅寸法Ｈより僅かに小さく設定されるのが、好ましい。
【００１８】
次に、袋物の使用方法及び作用について説明する。
先ず、図１に於て、袋体７の内部に、上方開口部３から、収納物８を入れると、収納物８が、袋体７の内部の底部に収納され、このとき、底部の前後どちらかに片寄り易い。
すると、図２（Ａ），図３に示すように、袋体７の周縁部４の対向する（第１・第２収納袋部１，２に対応した）左右内側面４ａ，４ａが、前後にずれた位置関係の状態になる。このとき、第１・第２磁石Ｍ1 ，Ｍ2 は、第１・第２収納袋部１，２内の横方向のいずれの位置に存在していても良い。
【００１９】
そして、把持紐部材６，６を把持して袋物を持ち上げると、対向する左右内側面４ａ，４ａは、矢印15のように、互いに接近する（図３参照）。
すると、図４に示すように、第１・第２磁石Ｍ1 ，Ｍ2 は、互いに前後方向にずれた位置関係にあったとしても、矢印16，16のように、磁力によって、収納袋部１，２内を移動し互いに対向位置となり、対向する左右内側面４ａ，４ａを、相互に吸着させる。
磁石Ｍ1 ，Ｍ2 が、収納袋部１，２内を移動する際には、（図２（Ａ）の矢印17のように、）回転移動することもでき、相互の吸着力が最大となる相対的位置に対向する。
また、図９，図10に示す磁石Ｍが、収納袋部10内に配設された場合も、磁石Ｍは、引っ掛かることがなく、図１，図２の磁石Ｍと同様に、スムースに移動（姿勢変更）する。
【００２０】
次に、図５〜図７に示す袋物の使用方法及び作用について説明すると、図５に於て、袋体７の内部に収納物８を入れて、袋体７の周縁部４の内側面14ａ，24ａを、当接させる。このとき、磁石Ｍは、収納袋部10内の横方向のいずれの位置に存在しても良い。
そして、図６に示すように、デザイン体20を把持して、袋体７の周縁部４の他部24の外側面24ｂに当接させると、図７に示すように、収納袋部10内の磁石Ｍは、デザイン体20に付設された磁石Ｍ0 と、互いに前後方向にずれた位置関係にあったとしても、矢印16のように、磁力によって、収納袋部10内を移動し互いに対向位置となり、対向する左右内側面14ａ，24ａを、相互に吸着させる。
磁石Ｍは、図１〜図４で既述した磁石Ｍと同じように、収納袋部10内を移動する。
【００２１】
以上のように、本発明に係る袋物は、上方開口部３の周縁部４に沿って形成した横長状収納袋部10内に、周縁部４の対向する左右内側面４ａ，４ａを相互に吸着させる磁石Ｍ，Ｍを、移動可能に収納したものなので、袋体に収納物を入れることにより、上方開口部３の周縁部４の左右内側面４ａ，４ａが撓んで前後方向にずれても、磁石Ｍ，Ｍは、磁力により、収納袋部10内を移動して、対向位置となる。
よって、周縁部４の左右内側面４ａ，４ａを、小さな磁石Ｍ，Ｍを用いて、確実に相互に吸着させることができ、どんな収納物を入れて運ぶ際でも、常時、上方開口部３を確実に閉じることができる。
【００２２】
また、夫々の両端部６ａ，６ａが所定間隔をもって周縁部４に付設される左右一対の把持紐部材６，６を、有し、かつ、各把持紐部材６の両端部６ａ，６ａの間に、横長状収納袋部10が、配設されているので、把持紐部材６，６を持つことで、把持紐部材６，６の付け根部の左右内側面４ａ，４ａが、前後方向に相互にずれても、磁石Ｍ，Ｍが各収納袋部10，10内を移動（姿勢変更）することにより、把持紐部材６，６の付け根部位を、確実に、相互に吸着させることができる。
しかも、磁石Ｍ，Ｍは小型のもので済む。
【００２３】
また、袋物は、上方開口部３の周縁部４の一部14に沿って横長状収納袋部10を形成し、かつ、可撓紐状体19を介して、図形や文字等のデザイン体20を袋体７又は把持紐部材６から吊下げ状に付設し、相互に吸着する磁石Ｍ，Ｍ0 の一方Ｍを収納袋部10内に移動可能に収納すると共に、磁石Ｍ，Ｍ0 の他方Ｍ0 をデザイン体20に付設したものなので、袋体７に収納物を入れた後で、デザイン体20を、袋体７の周縁部４の他部（上記周縁部４の一部14と対向する側）の外側面に当接させるだけで、磁石Ｍは、磁力により、収納袋部10内を移動してデザイン体20に付設された磁石Ｍ0 と対向位置となる。
よって、周縁部４の左右内側面を、小さな磁石Ｍ，Ｍ0 を用いて、確実に相互に吸着させることができ、容易に上方開口部３を閉じることができる。
しかも、デザイン体20の形状を様々に変えることで、見た目の楽しさ・美しさも、自由に設定することができる。
【００２４】
また、移動可能に収納された磁石Ｍは、４角部が丸み状に形成された略矩形板形状であるので、磁石Ｍが収納袋部10内を移動する際に、４角部が引っ掛かることがなく、非常にスムースに移動（姿勢変更）可能となる。
【００２５】
また、移動可能に収納された磁石Ｍの長辺ａ・短辺ｂ・対角線ｃと、収納袋部10の内部の上下幅寸法Ｈとの間に、1.1 ×ａ≦Ｈ≦1.5 ×ａ、1.5 ×ｂ≦Ｈ≦2.5 ×ｂ、及び、ｃ＜Ｈの関係を有するので、磁石Ｍが、収納袋部10の内部で回転しながら移動することも可能となり、一層横方向への移動がスムースになり、しかも、Ｎ極とＳ極とが対向して相互の吸着力が最大となる相対的位置に移動（姿勢変更）し易い。そして、磁石Ｍ，Ｍは小型なので、コストも少なく済み、袋物を小さく折り畳んで持ち運ぶことができる。
【００２６】
また、移動可能に収納された磁石Ｍの外表面11には、低摩擦コーティング材12が塗布されているので、磁石Ｍと、収納袋部10の内部との摩擦を低減させられ、前記移動（姿勢変更）が、さらにスムースになる。
【図面の簡単な説明】
【００２７】
【図１】本発明に係る袋物の実施の一形態を示す斜視図である。
【図２】要部斜視図であって、（Ａ）は説明用要部斜視図で、（Ｂ）は磁石を示す要部斜視図である。
【図３】説明用要部断面平面図である。
【図４】説明用要部断面平面図である。
【図５】本発明に係る袋物の他の実施の形態を示す斜視図である。
【図６】側面図である。
【図７】説明用要部断面平面図である。
【図８】要部拡大断面図である。
【図９】磁石の比較例を示す斜視図である。
【図１０】磁石の他の比較例を示す斜視図である。
【符号の説明】
【００２８】
３  上方開口部
４  周縁部
４ａ  内側面
６  把持紐部材
６ａ  端部
７  袋体
10  収納袋部
11  外表面
12  低摩擦コーティング材
14  一部
19  可撓紐状体
20  デザイン体
ａ  長辺
ｂ  短辺
ｃ  対角線
Ｈ  上下幅寸法
Ｍ，Ｍ0   磁石
【図１】
2006123987.tif 000003
【図２】
2006123987.tif 000004
【図３】
2006123987.tif 000005
【図４】
2006123987.tif 000006
【図５】
2006123987.tif 000007
【図６】
2006123987.tif 000008
【図７】
2006123987.tif 000009
【図８】
2006123987.tif 000010
【図９】
2006123987.tif 000011
【図１０】
2006123987.tif 000012